(57)【要約】本発明は、互いに同一高さに接合される2つの構成パーツ(10、24)を取り外し可能に接続するための装置に関し、第1構成パーツ(10)があり溝を構成し、第２構成パーツ(24)があり溝(32)と係合する少なくとも1つのスライド片(36)を構成する。スライド片(36)は、あり溝(32)に導入された後、2つの構成パーツ（10、24）を互いにその接合面(22、30)で締め付けるためのテンション装置(46)によって調節可能である。あり溝(32)を定義する溝脚(34)の内面(62)及び外面(64)は、互いに平行である。溝脚(34)のための接合面(68または70)は、スライド片(36)を支える構成パーツの接合面(30)に形成され、溝脚(34)の外面(64)および端面(66)と平行である。【選択図】図２
2004522084.tif 000002
【特許請求の範囲】
【請求項１】
互いに係合する2つの構成パーツ(10、24)を取り外し可能に接続するための装置であって、第１構成パーツ(10)はあり溝を有し、第2構成パーツ(24)は、上記あり溝に挿入されるよう設計された少なくとも１つのスライド片(36)を有し、上記スライド片は、上記あり溝に挿入された後、2つの構成パーツ(10、24)をそれらの接合面(22、30)でクランプするためのテンション装置(46)により調整可能であり、上記あり溝(32)を定義する溝脚(34)の内面(62)及び外面(64)が互いに平行であり、構成パーツ(24)を支持するスライド片(36)の接合面(30)側において、上記溝脚(34)の外面(64) と平行な支持面(68)、及び上記溝脚(34)の端面(66)と平行な支持面(70)とが形成されることを特長とする装置。
【請求項２】
上記第2構成パーツ(24)の接合面（30）に設けられ、上記接合面(30)と垂直な凹部(42)内に、上記スライド片(36)が調節可能に導入されると共に、上記スライド片(36)が、上記第2構成パーツ(24)を接合する締付ネジ(46)を収容するネジ切り穴(44)を有することを特徴とする請求項１記載の装置。
【請求項３】
上記第1構成パーツ(10)が、その長手方向の一端部に上記第2構成パーツ(24)を取り付け可能な患者支持プレートであることをさらに特徴とする請求項1又は2記載の装置。
【請求項４】
上記第2構成パーツ(24)が、頭部支持プレートであることをさらに特徴とする請求項3記載の装置。
【請求項５】
上記頭部支持プレート(24)が、あり溝(32)を備える上記患者支持プレート(10)の端壁(20)と平行な接続ビーム(28)を有し、該ビーム(28)に、少なくとも1つのスライド片(36)とこれに対応する締付ネジ(46)が支持されることをさらに特徴とする請求項４記載の装置。
【発明の詳細な説明】
【技術分野】
【０００１】
本発明は、互いに突き合わせ係合する2つの構成パーツを取り外し可能に接続するための装置に関する。第１の構成パーツはあり溝（dovetail groove）を有し、第２の構成パーツは、あり溝に挿入・収容されるよう設計されたスライド片を有している。スライド片は、あり溝に挿入された後、2つの構成パーツをその接合面で締め付ける（クランプする）テンション装置（tension device）によって調節可能である。
【背景技術】
【０００２】
通常、あり溝は逃げ溝（切り下げ溝）であり、溝を区画・定義する溝脚の内面が、溝の基部に対して鋭角を形成する。スライド片は相補的な形状を有している。周知の解決法では、接合すべきパーツは、溝の基部と基本的に平行に延びる接合面の手段により、互いに係合する。スライド片は、例えば、2つの構成パーツの接合面と垂直に設けられ、その接合面にて2つの構成パーツを互いに締め付ける（連結する）締付ネジ（調節ネジ；tension screw）により調節される。これにより、スライド片の傾斜面が、溝脚の内側の傾斜面に対して押し広げ力を及ぼし、溝脚が、締付ネジにより締め付けられた状態で外側に押される。溝の長手方向と平行な軸回りのモーメントが、相対する2つの構成パーツのうちの1つに作用した場合も、同様の働きが得られる。この場合、スライド片の1側において、スライド片を溝の基部から離間させる力が働き、この力はスライド片の傾斜面及びそれに対応する溝脚を介して伝達され、溝脚を外側に押圧する。これは、溝脚の永久的な歪みを引き起こしたり、最悪の場合は、スライド片があり溝から引き離されることもある。
【発明の開示】
【発明が解決しようとする課題】
【０００３】
本発明は、スライド片を締め付けても、また、溝の長手方向と平行な軸回りの回転モーメントにより一方の構成パーツへ負荷がかかっても、あり溝の溝脚が外側へ曲げられたり、溝脚が弾性変形して構成パーツの相対的な移動を引き起したりすることのない、前述したような接続装置を提供することを課題とする。
【課題を解決するための手段】
【０００４】
この課題は、あり溝の溝脚を定義する内面及び外面が互いに平行であり、構成パーツを支持するスライド片の接合面において、溝脚を支持するサポート面（接合面）が、溝脚の外面及び端面に対して平行に設けられた、本発明によって達成される。
【発明の効果】
【０００５】
本発明の解決策により、スライド片が締め付けられた際に、溝脚は外側に押圧されず、代わりに、構成パーツを支持するスライド片のサポート面に対して押圧されることになる。従って、溝脚はスライド片と、それに対応する接合面との間でクランプされる。このように、スライド片の締め付けによっても、スライド片を支持する構成パーツ上に作用する溝方向と平行な軸回りの回転モーメントによっても、溝脚が外側に偏向されることがない。構成パーツに作用する回転モーメントは、1つの溝脚の端面に対して重なるサポート面を介して溝脚に導かれる。従って、溝脚逃げ面に垂直な交点回りに構成パーツが回転することがない。これによって、溝脚の破損、及びあり溝からのスライド片の引き離しが確実に回避される。
【０００６】
第２構成パーツの接合面に設けられ、接合面と垂直な凹部内に、スライド片が調節可能（移動可能）に導かれ、かつ、スライド片が、第2構成パーツを接合する締付ネジを収容するネジ切り穴を有することが好ましい。これにより、スライド片のクランプをより確実なものとすることができる。
【０００７】
本発明の解決策は、第１構成パーツが患者支持プレートであり、その長手方向一端部に、頭部支持プレートなどの第2構成パーツが取り付け可能に設けられるような形態に特にふさわしい。このような患者支持プレートは比較的薄いうえに、2つの構成パーツを突き合わせて接合するためのサポート面が小さいが、本願の接続装置によれば、確実で、頑丈かつ安定した接続が保証される。スライド片及び締付ネジを頭部支持プレートに収容可能とするために、頭部支持プレートは接続ビームを有することが好ましい。この接続ビームは、あり溝を有する患者支持プレートの端面もしくは接合面と平行であり、接続ビームには、少なくとも1つのスライド片とそれに対応する締付ネジとが支持される。
【０００８】
本発明のさらなる特徴及び利点が、実施例を示す添付の図面を参照にして以下の記述から明らかになるだろう。
【発明を実施するための最良の形態】
【０００９】
図1では、患者支持プレートが10で示される。その患者支持プレート10は、発泡材より成る芯１２と、炭素繊維強化プラスチックから成る箱型シェル14とを備え、底16、カバー18、底16とカバー18とを互いに連結する側壁20を備える。
【００１０】
患者支持プレート10の長手方向端部の外面若しくは端面22は、24で示される頭部支持プレートに取り付けられる。頭部支持プレート24は、プレート26と、患者支持プレート10の端面22と向かい合う接合面30を備えた接続ビーム28とを有する。側壁20内にはあり溝32が形成され、そのあり溝32は2つの溝脚34によって境界が制限される。あり溝32内にはスライド片36が収容される。スライド片36は、溝の断面形状と合致するヘッド38と、シャフト40とを有している。シャフト40は、接続ビーム28内に形成された凹部42内に収容される。スライド片36は、接合面30に対して垂直なネジ切り穴44を有している。ネジ切り穴44には、接続ビーム28内に延びる締付ネジ（テンション装置）46のネジ部48が収容される。締付ネジ46はハンドグリップ50と拡大直径部52とを有し、拡大直径部52は、接続ビーム28内に形成された収容ボア（receiving bore）56の肩部54と接する。
【００１１】
図１に示される周知技術の例では、締付ネジ46が締め付けられ、図１に示されるスライド片36が左に引かれ、あり溝32の基部から離間される。この際、ヘッド38の後側の傾斜面60が、溝脚34の平行な内面62に対して押圧される。これにより、互いに接続される構成パーツ10および24の内部に、ライン58で示されるような力のラインが発生する。図から分かるように、溝脚34の内側での力ラインの湾曲により、溝脚34を矢印Aの方向に向かって外側へと広げる力が発生し、あり溝32が広げられる。さらに、溝32の長手方向と平行な軸（図面に対して垂直な軸）回りのモーメンが、矢印Bで示すように頭部支持プレート24に対して下向きに作用した場合、少なくとも上部の溝脚34に矢印Aの方向に広げる力が発生し、頭部支持プレート24に過大な負荷がかかり、溝脚34の永久的な変形や、スライド片36のあり溝32からの引き剥がしが発生する可能性がある。
【００１２】
このような問題点は、図2および図3に示される本実施形態の解決策により回避される。図２及び図３では、図１と同様の部位は同様の参照番号で示される。本実施形態の解決策では、各溝脚34は、その外面64がそれぞれ対応する内面62と平行に設けられ、各溝脚34がそれぞれ外面64に対して垂直な端面66を有する。さらに、各溝脚34に対応する接続ビーム28の接合面30において、溝脚34の内面62及び外面64と平行なサポート面68と、溝脚34の端面66と平行なサポート面70とが設けられる。図３に示されるように、二つの構成パーツ10と24とが互いに接合されたとき、サポート面68は溝脚34の外面64と、サポート面70は溝脚34の外面64とそれぞれ重ね合わされる。ここから分かるように、締付ネジ46を締め付けてスライド片36を締め付けた後は、溝脚34が、スライド片36のヘッド38の面60と、接続ビーム28の対応するサポート面68および70との間にクランプされる。溝脚34を保持するクランプ力又は締め付け力は、面62、64および66に対して垂直に作用する。よって、溝脚34はもはや外側に歪むことはない。これは、スライド片36によって働く締め付け力、及び矢印B方向への頭部支持プレート24の負荷によって生じる回転モーメントの両方に関して有効である。回転モーメントが生じた際、サポート面70の接触がない場合、接続ビームの回転運動を引き起こし、溝脚34の一方が外側へ移動したり、他方の溝脚34が移動したりする可能性がある。これは、溝脚34をサポート面70と接触させることで防げる。このように、たとえ比較的薄い構成パーツ同士を比較的小さな接合面に沿って接続する場合でも、大きな負荷による接続部の破損の危険性を伴わずに確実に接続することができる。
【図面の簡単な説明】
【００１３】
【図１】図1は、最先技術における、２つの構成パーツの境界面をそれぞれ垂直に切断した患者支持プレートと頭部支持プレートとの間の接続部を示す概略部分断面図である。
【図２】図2は、本発明の解決策に対応する、分離された状態の患者支持プレート端部と頭部支持プレートとを示す図1に対応する断面図である。
【図３】図3は、本発明における構成パーツが互いに接続された状態の接続装置を示す図1に対応する断面図である。
【符号の説明】
【００１４】
１０  患者支持プレート（第１構成パーツ）
２４  頭部支持プレート（第２構成パーツ）
２８  接続ビーム
３０  接合面
３２  あり溝
３４  溝脚
３６  スライド片
４６  締付ネジ（テンション装置）
６２  溝脚内面
６４  溝脚外面
６６  溝脚端面
６８  サポート面
７０  サポート面
【国際公開パンフレット】
2004522084.tif 000003
2004522084.tif 000004
2004522084.tif 000005
2004522084.tif 000006
2004522084.tif 000007
2004522084.tif 000008
2004522084.tif 000009
2004522084.tif 000010
2004522084.tif 000011
【国際調査報告】
2004522084.tif 000012
2004522084.tif 000013
2004522084.tif 000014
2004522084.tif 000015
2004522084.tif 000016
2004522084.tif 000017